(57)【要約】【課題】  液体パックの可撓性袋を加圧して液体を送り出す場合においても、可撓性袋の損傷をもたらすことなく、液体パックの可撓性袋の折曲面が液体消費時に外側に折れ曲がることを確実に防止することにある。【解決手段】  本発明の液体容器は、液体を内部に貯留する可撓性袋１６を有する液体パック１０であって、可撓性袋１６はその内部の液体の消費によって折れ曲がる折曲面１６ａを有する、液体パック１０と、液体パック１０を内部に収容する容器本体１１と、可撓性袋１６の折曲面１６ａが液体消費時に外側に向けて折れ曲がることを規制するために可撓性袋１６の折曲面１６ａに当接される規制部材１７と、を備える。規制部材１７は、液体パック１０の可撓性袋１６の厚み方向の略全長にわたって１６ａ折曲面に当接される。【選択図】  図３
2005254570.tif 000002
【特許請求の範囲】
【請求項１】
液体消費装置に供給される液体を内部に貯留する液体容器において、
液体を内部に貯留する可撓性材料で形成された可撓性袋を有する液体パックであって、前記可撓性袋はその内部の液体の消費によって折れ曲がる折曲面を有する、液体パックと、
前記液体パックを内部に収容する容器本体と、
前記可撓性袋の前記折曲面が液体消費時に外側に向けて折れ曲がることを規制するために前記可撓性袋の前記折曲面に当接される規制部材と、を備え、
前記規制部材は、前記液体パックの前記可撓性袋の厚み方向の略全長にわたって前記折曲面に当接されるように構成されていることを特徴とする液体容器。
【請求項２】
前記規制部材は、前記容器本体の内部空間の厚み方向の略全長にわたって設けられている請求項１記載の液体容器。
【請求項３】
前記規制部材は、前記可撓性袋の前記折曲面が液体消費時に内側に向けて折れ曲がるように前記折曲面に当接される請求項１又は２に記載の液体容器。
【請求項４】
前記規制部材は、前記液体パックの前記可撓性袋の前後方向の略全長にわたって配置されている請求項１乃至３のいずれか一項に記載の液体容器。
【請求項５】
前記規制部材は、前記液体パックの前記可撓性袋の前後方向において局所的に配置されている請求項１乃至３のいずれか一項に記載の液体容器。
【請求項６】
前記規制部材は、前記液体パックの前記可撓性袋の厚み方向に沿って前記折曲面に線状に当接される板状部材を含む請求項１乃至５のいずれか一項に記載の液体容器。
【請求項７】
前記規制部材は、前記液体パックの前記可撓性袋の厚み方向の略全長にわたって前記折曲面に当接される厚み方向当接部に加えて、前記液体パックの前記可撓性袋の前後方向に沿って前記折曲面に直線状に当接される前後方向当接部を有する請求項１乃至６のいずれか一項に記載の液体容器。
【請求項８】
前記規制部材は、前記可撓性袋の前記折曲面に向かって凸状の略三角形断面を有している請求項１乃至７のいずれか一項に記載の液体容器。
【請求項９】
前記液体パックを前記容器本体の内部で固定するための押さえ部材をさらに有し、
前記規制部材は前記押さえ部材と一体に形成されている請求項１乃至８のいずれか一項に記載の液体容器。
【請求項１０】
前記規制部材は、前記容器本体と一体に形成されている請求項１乃至８のいずれか一項に記載の液体容器。
【請求項１１】
前記容器本体は、前面に開口を有する本体主要部と、前記本体主要部の前記開口を封止する蓋部とを備えた請求項１乃至１０のいずれか一項に記載の液体容器。
【請求項１２】
前記容器本体の内部に供給された加圧流体の圧力によって前記液体パックの前記可撓性袋を加圧することによって液体が送出されるように構成されている請求項１乃至１１のいずれか一項に記載の液体容器。
【請求項１３】
前記容器本体の内部に形成された膨縮可能な撹拌室をさらに有し、前記撹拌室の内部に加圧流体を供給して前記撹拌室を膨張させることにより、前記液体パックの前記可撓性袋を押圧変形させて前記液体パック内の液体を撹拌するように構成されている請求項１乃至１２のいずれか一項に記載の液体容器。
【発明の詳細な説明】
【技術分野】
【０００１】
本発明は、液体消費装置に供給される液体を内部に貯留する液体容器に関する。
【背景技術】
【０００２】
従来の液体消費装置の代表例としては、噴射ヘッドから液滴を噴射する液体噴射装置があり、この液体噴射装置の代表例としては、画像記録用のインクジェット式記録ヘッドを備えたインクジェット式記録装置がある。その他の液体噴射装置としては、例えば液晶ディスプレー等のカラーフィルタ製造に用いられる色材噴射ヘッドを備えた装置、有機ＥＬディスプレー、面発光ディスプレー（ＦＥＤ）等の電極形成に用いられる電極材（導電ペースト）噴射ヘッドを備えた装置、バイオチップ製造に用いられる生体有機物噴射ヘッドを備えた装置、精密ピペットとしての試料噴射ヘッドを備えた装置等が挙げられる。
【０００３】
液体噴射装置の代表例であるインクジェット式記録装置は、印刷時の騒音が比較的小さく、しかも小さなドットを高い密度で形成できるため、昨今においてはカラー印刷を含めた多くの印刷に使用されている。
【０００４】
インクジェット式記録装置で代表される液体消費装置に対する液体の供給方式としては、液体を貯留した液体容器から液体消費装置に液体を供給する方式がある。さらに、この液体容器による液体供給方式においては、液体容器内の液体が消費された時点でユーザーが簡単に液体容器を交換できるようにするために、液体消費装置に対して着脱可能に構成されたカートリッジとして液体容器を構成するのが一般的である。
【０００５】
一般にインクジェット式記録装置は、インク滴を吐出する記録ヘッドが搭載され記録媒体の記録面に沿って往復動するキャリッジを備えており、インクカートリッジから記録ヘッドへのインクの供給方式としては、キャリッジにインクカートリッジを装着し、記録ヘッドと共に往復動するインクカートリッジから記録ヘッドにインクを供給する方式がある。また、他の方式としては、インクカートリッジを装置本体のケース等に装着すると共に、可撓性チューブ等で形成したインク流路を介してインクカートリッジから記録ヘッドにインクを供給する方式がある。
【０００６】
そして、従来のインクカートリッジにおいては、インクを貯留した可撓性袋を持つインクパックを、剛性部材よりなる容器本体の内部に収納する形態のものがある。インクパックの可撓性袋の種類としては、単に二枚のフィルム部材をそれらの周縁にて貼り合わせるタイプと、インクパックの厚み方向にも一対のフィルム部材を設けて４つの側面を形成するタイプとがある。ガゼット型インクパックとも呼ばれる後者のタイプのインクパックは、インクの収容量を増大させる上で好適である。
【０００７】
そして、ガゼット型インクパックにおいては、インクパック内のインクの消費と共に可撓性袋の厚み方向のフィルム部材が折れ曲がることになるが、この時に外側に突出する形でフィルム部材が折れ曲がると、折れ曲がり時の抵抗が大きくなり、また、最終的に消費されずにインクパック内に残留するインクの量が増大してしまうという問題があった。
【０００８】
下記特許文献１においては、インク収容袋の側面の襞の折り込み部に規制枠を設ける構成が提案されている。
【特許文献１】特開昭６０−２１７１５９号公報
【発明の開示】
【発明が解決しようとする課題】
【０００９】
ところが、上記特許文献１に記載の構成では、インク収容袋の襞の折り込み部に対して、その折り込み線に沿って線状に規制枠を当接するようにしているため、インク収容袋を加圧してインクを送り出すタイプのインクカートリッジに特許文献１に記載の構成を適用すると、インク収容袋の加圧時において、インク収容袋の側面の襞の折り込み部が、その折り込み線に沿って規制枠に対して線状に接触して押圧される。このとき、インク収容袋の側面の襞の折り込み線に対して衝撃力が集中的に加えられることになり、インク収容袋がその折り込み線に沿って破れてしまう可能性があった。
【００１０】
また、上記特許文献１に記載の構成においては、規制部が容器本体の内部で移動可能に設けられているので、容器本体の内部でインク収容袋を固定するための機能を規制枠に持たせることができないという問題もあった。
【００１１】
本発明は、上述の問題点に鑑みてなされたものであり、その目的は、液体の消費によって折れ曲がる折曲面を含む可撓性袋を有する液体パックを備えた液体容器において、液体パックの可撓性袋を加圧して液体を送り出す場合においても、可撓性袋の損傷をもたらすことなく、液体パックの可撓性袋の折曲面が液体消費時に外側に折れ曲がることを確実に防止することにある。
【００１２】
加えて、本発明は、液体容器の容器本体の内部で液体パックを固定することができる液体容器を提供することを目的とする。
【課題を解決するための手段】
【００１３】
上記課題を解決するために、本発明は、液体消費装置に供給される液体を内部に貯留する液体容器において、液体を内部に貯留する可撓性材料で形成された可撓性袋を有する液体パックであって、前記可撓性袋はその内部の液体の消費によって折れ曲がる折曲面を有する、液体パックと、前記液体パックを内部に収容する容器本体と、前記可撓性袋の前記折曲面が液体消費時に外側に向けて折れ曲がることを規制するために前記可撓性袋の前記折曲面に当接される規制部材と、を備え、前記規制部材は、前記液体パックの前記可撓性袋の厚み方向の略全長にわたって前記折曲面に当接されるように構成されていることを特徴とする。
【００１４】
また、好ましくは、前記規制部材は、前記容器本体の内部空間の厚み方向の略全長にわたって設けられている。
【００１５】
また、好ましくは、前記規制部材は、前記可撓性袋の前記折曲面が液体消費時に内側に向けて折れ曲がるように前記折曲面に当接される。
【００１６】
また、好ましくは、前記規制部材は、前記液体パックの前記可撓性袋の前後方向の略全長にわたって配置されている。
【００１７】
また、好ましくは、前記規制部材は、前記液体パックの前記可撓性袋の前後方向において局所的に配置されている。
【００１８】
また、好ましくは、前記規制部材は、前記液体パックの前記可撓性袋の厚み方向に沿って前記折曲面に線状に当接される板状部材を含む。
【００１９】
また、好ましくは、前記規制部材は、前記液体パックの前記可撓性袋の厚み方向の略全長にわたって前記折曲面に当接される厚み方向当接部に加えて、前記液体パックの前記可撓性袋の前後方向に沿って前記折曲面に直線状に当接される前後方向当接部を有する。
【００２０】
また、好ましくは、前記規制部材は、前記可撓性袋の前記折曲面に向かって凸状の略三角形断面を有している。
【００２１】
また、好ましくは、前記液体パックを前記容器本体の内部で固定するための押さえ部材をさらに有し、前記規制部材は前記押さえ部材と一体に形成されている。
【００２２】
また、好ましくは、前記規制部材は、前記容器本体と一体に形成されている。
【００２３】
また、好ましくは、前記容器本体は、前面に開口を有する本体主要部と、前記本体主要部の前記開口を封止する蓋部とを備える。
【００２４】
また、好ましくは、前記容器本体の内部に供給された加圧流体の圧力によって前記液体パックの前記可撓性袋を加圧することによって液体が送出されるように構成されている。
【００２５】
また、好ましくは、前記容器本体の内部に形成された膨縮可能な撹拌室をさらに有し、前記撹拌室の内部に加圧流体を供給して前記撹拌室を膨張させることにより、前記液体パックの前記可撓性袋を押圧変形させて前記液体パック内の液体を撹拌するように構成されている。
【発明の効果】
【００２６】
上記特徴を備えた本発明によれば、液体の消費によって折れ曲がる折曲面を含む可撓性袋を有する液体パックを備えた液体容器において、液体パックの可撓性袋を加圧して液体を送り出す場合においても可撓性袋の損傷をもたらすことなく、液体パックの可撓性袋の折曲面が液体消費時に外側に折れ曲がることを防止することができる。
【００２７】
加えて、本発明によれば、液体容器の容器本体の内部で液体パックを固定することができる。
【発明を実施するための最良の形態】
【００２８】
以下、本発明による液体容器の一実施形態として、インクジェット式記録装置用のインクカートリッジについて図面を参照して説明する。
【００２９】
まず初めに、本実施形態によるインクカートリッジが装着されたインクジェット式記録装置について図１を参照して説明する。
【００３０】
図１に示したようにインクジェット式記録装置１００は、本体ケース１０１、プラテン１０２、ガイド軸１０３、キャリッジ１０４、タイミングベルト１０５、キャリッジモータ１０６、液体噴射ヘッドとしての記録ヘッド１０７を備える。さらに、インクジェット式記録装置１００は、バルブユニット１０８及び加圧ポンプ１０９を備える。
【００３１】
本体ケース１０１は、略直方体形状の箱体であり、図１中の右側端部にはカートリッジホルダ１１０が形成されている。そして、カートリッジホルダ１１０には、本実施形態による液体容器としてのインクカートリッジ１が着脱可能に装着されている。インクカートリッジ１は、インクの色（ブラック、イエロー、マゼンタ、シアン）に対応して４個装着されている。
【００３２】
プラテン１０２は、本体ケース１０１内において、記録ヘッド１０７の主走査方向に沿って架設されており、紙送り手段（図示を省略）を介して送出される記録媒体（図示を省略）を支持するための部材となっている。なお、記録媒体は、主走査方向と直交する方向である副走査方向に送出される。
【００３３】
ガイド軸１０３は棒状に形成され、プラテン１０２と平行な主走査方向に沿って本体ケース１０１内に架設されている。キャリッジ１０４は、プラテン１０２と対向する位置において、ガイド軸１０３に対して移動可能に貫挿されており、主走査方向に往復移動可能となっている。
【００３４】
そして、キャリッジ１０４は、タイミングベルト１０５を介してキャリッジモータ１０６に接続されている。キャリッジモータ１０６は本体ケース１０１に支持されており、キャリッジモータ１０６が駆動されることにより、タイミングベルト１０５を介してキャリッジ１０４が駆動され、ガイド軸１０３に沿って主走査方向に往復移動される。
【００３５】
記録ヘッド１０７は、プラテン１０２側に向かってインク滴を噴射するための複数のノズルを備えている。バルブユニット１０８はキャリッジ１０４上に搭載されており、一時的に貯留したインクを、圧力を調整した状態で記録ヘッド１０７へと供給するようになっている。なお、本実施形態においては、バルブユニット１０８は、インクの色（ブラック、イエロー、マゼンタ、シアン）に対応して４個配設されている。
【００３６】
加圧ポンプ１０９は、接続チューブ１１１を介して圧力検出器１１２に接続されており、圧力検出器１１２は各空気供給チューブ１１３を介して各インクカートリッジ１に接続されている。また、各インクカートリッジ１と各バルブユニット１０８とが各インク供給チューブ１１４を介して接続されている。
【００３７】
次に、図２乃至図９を参照して本実施形態のインクカートリッジ１について説明する。
【００３８】
図２に示したように、インクカートリッジ１は直方体形状の容器本体１１を備えており、図３及び図４に示したように容器本体１１は、一側面が開放した本体主要部１２と、本体主要部１２の側面開口を封止する蓋部１３とから成っている。
【００３９】
本体主要部１２の内面には、所定の立体及び平面形状が付与された付形フィルム部材１４が貼着されている。容器本体１１の内部には、全体が略Ｕ型を成したＵ型部材１５及びインクパック１０が収納されている。インクパック１０は、インクを内部に貯留する可撓性袋１６を有する。
【００４０】
図８に示したようにＵ型部材１５は、一対の規制部材１７及びこれらを端部にて連結する後部押さえ部材１８を有している。一対の規制部材１７は、インクパック１０の内部のインクの消費と共に折れ曲がる可撓性袋１６の折曲面１６ａ（図３及び図４）が外側に向けて折れ曲がることを規制し且つ内側に折れ曲がるようにするために、インクパック１０の可撓性袋１６の折曲面１６ａに当接される。各規制部材１７は、インクパック１０の可撓性袋１６の前後方向の略全長にわたって配置されている。
【００４１】
図６（ａ）及び図９に示したように各規制部材１７は、容器本体１１の内部空間の厚み方向の略全長にわたって設けられると共に、容器本体１１の前後方向の略全長にわたって設けられている。図８に示したように各規制部材１７は、インクパック１０の可撓性袋１６の厚み方向の全長にわたって可撓性袋１６の折曲面１６ａに線状に当接される複数の三角板部材（厚み方向当接部）１７ａと、インクパック１０の前後方向に沿って可撓性袋１６の折曲面１６ａに直線状に当接される前後方向当接板（前後方向当接部）１７ｂとを有する。
【００４２】
図３及び図４に示したように、本体主要部１２の内面後部には押さえ用傾斜面１９が形成されており、この押さえ用傾斜面１９とＵ型部材１５の後部押さえ部材１８の傾斜面１８ａ（図８）とでインクパック１０の可撓性袋１６の先細り状の後端部を挟み込むことでインクパック１０の後部を固定している。また、本体主要部１２の内面前部にも押さえ用傾斜面２０が形成されており、容器本体１１の内部前方に配置される前部押さえ部材２１の傾斜面と押さえ用傾斜面２０とでインクパック１０の可撓性袋１６の先細り状の前端部を挟み込むことでインクパック１０の前部を固定している。
【００４３】
図３及び図４に示したように、インクパック１０はその内部のインクを送出するためのポート部材２２を可撓性袋１６の前端部に有し、このポート部材２２は、容器本体１１の本体主要部１２の前面に形成された開口１２ａにシール部材２３を介して挿着されている。
【００４４】
本体主要部１２の側面開口はフィルム部材２５によって気密に封止されており、これにより、図５に示したように容器本体１１の内部に加圧室２６が形成されている。そして、記録装置側から供給された圧縮空気を加圧室２６の内部に導入することによって、インクパック１０の可撓性袋１６がその外面から加圧され、これにより、インクパック１０の内部のインクが記録装置側に送出される。
【００４５】
図５に示したように付形フィルム部材１４の凸状部分（低剛性部材）１４ａによって、膨縮可能な撹拌室２７が形成されており、この撹拌室２７は加圧室２６の内部に配置されている。また、容器本体１１の外壁面から内部にかけて撹拌室２７の内部に圧縮空気を供給するための圧縮空気供給路２８が形成されており、この圧縮空気供給路２８の一部は、容器本体１１の本体主要部１２の内面に形成された溝部２９を付形フィルム部材１４の舌状部１４ｂで封止することによって形成されている。
【００４６】
また、撹拌室２７は開放流路３０を介して加圧室２６に連通している。この開放流路３０は、容器本体１１の本体主要部１２の内面に形成された溝部３１を付形フィルム部材１４の平坦部１４ｃで封止することによって形成されている。開放流路３０の溝部３１は、撹拌室２７の内部に圧縮空気を供給した際に、インクパック１０の可撓性袋１６を押圧変形させ得る圧力を撹拌室２７の内部に発生させる流路抵抗が生じさせるように形成されている。具体的には、図５（ａ）に示したように、開放流路３０の溝部３１は、細い溝を迷路状に引き回すようにして形成されており、これにより、圧縮空気供給路２８における圧縮空気の流動抵抗よりも開放流路３０における圧縮空気の流動抵抗の方が大きくなる。
【００４７】
なお、図５（ａ）に示したように圧縮空気供給路２８を構成する溝部２９を撹拌室２７内で開放流路３０の入口まで引き回すことによって、インクパック１０の満タン時に撹拌室２７が押し潰された状態においても、圧縮空気供給路２８を介して供給された圧縮空気を撹拌室２７の内部に確実に導入することができる。
【００４８】
図６及び図７に示したように、インクパック１０の可撓性袋１６の内部には撹拌棒２４が設けられており、この撹拌棒２４の前端はポート部材２２に固定されている。撹拌棒２４には、撹拌効果を高めるための多数の斜溝２４ａが形成されている。図６（ａ）に示したように、撹拌室２７は、使用状態のインクカートリッジ１においてインクパック１０の可撓性袋１６の重力方向下部を押圧するように、容器本体１１内の下方に配置されている。撹拌棒２４は、撹拌室２７の膨縮によって生じるインクパック１０の可撓性袋１６の変形部分の近傍で且つ上方に配置されている。
【００４９】
次に、本実施形態のインクカートリッジ１の作用ついて図９を参照して説明する。
【００５０】
図９（ａ）は、未使用のインクカートリッジ１においてインクパック１０内のインクが満タンの状態を示しており、この状態においては、容器本体１１の内部に圧縮空気を導入した加圧時と圧縮空気を導入しない非加圧時とでインクパック１０の形状は変化しない。
【００５１】
図９（ａ）に示した状態からインクが消費されてインクパック１０内のインク量が減少すると、非加圧時においては、図９（ｂ）に示したようにインクパック１０の可撓性袋１６の上方部分の厚みが減少して下膨れ状態となる。
【００５２】
図９（ｂ）に示した状態において、加圧ポンプ１０９を駆動して圧縮空気供給路２８から撹拌室２７の内部に圧縮空気を供給すると、図９（ｃ）に示したように撹拌室２７がインクパック１０の可撓性袋１６に向けて膨出する。これにより、インクパック１０の可撓性袋１６の下部が局所的に押圧されて変形し、可撓性袋１６の内部にインクの流れが生じてインクが撹拌される。また、インクパック１０の可撓性袋１６の内部には、撹拌室２７の膨出による加圧変形部分の上方近傍に撹拌棒２４が設けられているので、可撓性袋１６の内部に生じたインクの流れによる撹拌効果が高められる。
【００５３】
また、撹拌室２７の内部に導入された圧縮空気は、開放流路３０を経由して加圧室２６側に導入される。これにより、インクパック１０の可撓性袋１６がその全面にて加圧され、インクカートリッジ１から記録装置側にインクを供給することができる。
【００５４】
従って、本実施形態によるインクカートリッジ１によれば、記録装置による印刷の開始時においてインク供給のためにインクパック１０の可撓性袋１６が加圧される際には、それに先だって撹拌室２７の膨出による可撓性袋１６内のインクの撹拌操作が自動的に行われる。また、記録装置が非稼働状態にあるときには撹拌室２７には圧縮空気が供給されないので、非稼働状態におけるインクパック１０の可撓性袋１６の不必要な加圧を回避することもできる。さらに、インクパック１０の加圧源と撹拌室２７の加圧源とを共用することで装置構造の簡素化を図ることできるという利点もある。
【００５５】
なお、撹拌室２７の膨縮による撹拌操作は、印刷開始時のみならず、必要に応じて適宜実施するように制御することもできる。
【００５６】
また、加圧ポンプ１０９として、空気の吐出と吸引とを交互に実施できるポンプを設けて、撹拌室２７の膨張と収縮とを繰り返し実施するようにすることもできる。
【００５７】
以上述べたように本実施形態によれば、インクパック１０内のインクが消費されるとインクパック１０の可撓性袋１６の上面を成す折曲面１６ａが折れ曲がるが（図９（ｂ））、規制部材１７によって折れ曲がり方向が規制されているので、折曲面１６ａは確実に内側に折れ曲がる。これにより、可撓性袋１６の折曲面１６ａの外側への折れ曲がりによる曲がり時の抵抗の増大や、最終的に消費されずにインクパック１０内に残留してしまうインク量の増大を防止することができる。
【００５８】
また、規制部材１７を構成する各三角板部材１７ａは、インクパック１０の可撓性袋１６の折曲面１６ａの厚み方向の全長にわたって折曲面１６ａに当接されているので、インクパック１０の可撓性袋１６が加圧された際においても、折曲面１６ａの折り込み線部に集中的な衝撃力が加えられるようなことがなく、しかも、規制部材１７によってインクパック１０を容器本体１１の内部で固定することができる。
【００５９】
特に、本実施形態によるインクカートリッジ１においては、撹拌室２７の膨出による撹拌操作の際にもインクパック１０の可撓性袋１６の折曲面１６ａが規制部材１７に押圧されるので、折曲面１６ａへの集中的な繰り返しの衝撃力を回避できることは極めて有効である。
【００６０】
また、本実施形態においては、規制部材１７を後部押さえ部材１８と一体に形成するようにしたので、部品点数を押さえることができる。
【００６１】
また、本実施形態によれば、インクジェット式記録装置を複雑化させたり大型化させたりすることなく、インクカートリッジ１内に貯留されているインクの濃度分布の不均一化を確実に防止することができる。とりわけ、印刷に顔料インクを使用する場合には、インクカートリッジ１内の顔料粒子の偏在化を確実に防止する上で極めて有効である。
【００６２】
なお、上述した実施形態は、印刷時にインクパック１０の可撓性袋１６を圧縮空気で加圧するタイプのインクカートリッジ１に関するものであるが、印刷時にインクパック１０を加圧しないタイプのインクカートリッジにおいて上述した撹拌機構や規制部材を設けることもできる。
【００６３】
次に、上記実施形態の一変形例について図１０を参照して説明する。
【００６４】
図１０に示したように本例においては、規制部材１７が、容器本体１１の本体主要部１２の内面に一体に形成されると共に、インクパック１０の前後方向において局所的に配置されている。この例においても、規制部材１７は、インクパック１０の可撓性袋１６の厚み方向の略全長にわたって折曲面１６ａに当接される。
【００６５】
本例においては、上述した実施形態と同様の効果が期待できると共に、規制部材１７が容器本体１１と一体に形成されているので部品点数を減らすことができると共に製造工程を簡素化することができる。
【００６６】
また、他の変形例としては、図１１乃至図１３に示したように、容器本体１１を、前面に開口を有する本体主要部１２と、本体主要部１１の開口を封止する蓋部１３とで構成することもできる。この場合、本体主要部１１と蓋部１３との間にＯリング３２を設け、これにより容器本体１１の内部の気密性を確保する。従って、図３及び図４に示したフィルム部材２５は本例では不要となる。
【００６７】
また、この例においては、本体主要部１１の上面及び下面を内側に突出させることによって規制部材１７が形成されている。規制部材１７を形成する突出部は、三角断面形状を有している。
【００６８】
本例においては、上述した実施形態と同様の効果が得られると共に、図３及び図４に示したフィルム部材２５及び別体としての規制部材１７が不要となるので、部品点数の減少と製造工程の簡素化を図ることができる。
【図面の簡単な説明】
【００６９】
【図１】本発明の一実施形態によるインクカートリッジが装着されたインクジェット式記録装置を示した平面図。
【図２】本発明の一実施形態によるインクカートリッジを示した図であり、（ａ）は側面図、（ｂ）は（ａ）のＢ−Ｂ線断面図、（ｃ）は容器本体の本体主要部を示した側面図。
【図３】図２に示したインクカートリッジの分解斜視図。
【図４】図２に示したインクカートリッジの分解斜視図であって、図３とは異なる角度から見た図。
【図５】（ａ）は図２に示したインクカートリッジの容器本体の本体主要部を拡大して示した側面図、（ｂ）は圧縮空気供給路を含む面での平断面図。
【図６】（ａ）は図２に示したインクカートリッジの縦断面図、（ｂ）は同平断面図であってポート部材を含む面での平断面図、（ｃ）は同平断面図であって撹拌室が膨張した状態を示した図。
【図７】図２に示したインクカートリッジのインクパックを一部切り欠いて示した斜視図。
【図８】（ａ）、（ｂ）、（ｃ）は、図２に示したインクカートリッジのＵ型部材を異なる角度から見た斜視図。
【図９】図２に示したインクカートリッジの作用を説明するための断面図であり、（ａ）はインク満タン状態を示し、（ｂ）インク消費時の非加圧状態を示し、（ｃ）はインク消費時の加圧状態を示す。
【図１０】図２に示したインクカートリッジの一変形例の容器本体の本体主要部を示した斜視図。
【図１１】図２に示したインクカートリッジの他の変形例を示した分解斜視図。
【図１２】図１１に示したインクカートリッジの容器本体の本体主要部を示した図であり、（ａ）は斜視図、（ｂ）は側面図、（ｃ）は（ｂ）のＡ−Ａ線断面図。
【図１３】図１１に示したインクカートリッジを示した斜視図であり、（ａ）は組立工程の途中を示した図、（ｂ）は完成状態を示した図。
【符号の説明】
【００７０】
１  インクカートリッジ
１０  インクパック
１１  容器本体
１２  本体主要部
１３  蓋部
１４  付形フィルム部材
１４ａ  付形フィルム部材の凸状部分（低剛性部材）
１４ｂ  付形フィルム部材の舌状部
１４ｃ  付形フィルム部材の平坦部
１５  Ｕ型部材
１６  インクパックの可撓性袋
１６ａ  可撓性袋の折曲面
１７  規制部材
１７ａ  規制部材の三角板部材
１７ｂ  規制部材の前後方向当接板
１８  後部押さえ部材
１８ａ  後部押さえ部材の傾斜面
１９、２０  容器本体の本体主要部の押さえ用傾斜面
２１  前部押さえ部材
２２  インクパックのポート部材
２３  シール部材
２４  撹拌棒
２４ａ  撹拌棒に形成された斜溝
２５  フィルム部材
２６  加圧室
２７  撹拌室
２８  圧縮空気供給路（加圧流体供給路）
２９、３１  溝部
３０  開放流路
３２  Ｏリング
【図１】
2005254570.tif 000003
【図２】
2005254570.tif 000004
【図３】
2005254570.tif 000005
【図４】
2005254570.tif 000006
【図５】
2005254570.tif 000007
【図６】
2005254570.tif 000008
【図７】
2005254570.tif 000009
【図８】
2005254570.tif 000010
【図９】
2005254570.tif 000011
【図１０】
2005254570.tif 000012
【図１１】
2005254570.tif 000013
【図１２】
2005254570.tif 000014
【図１３】
2005254570.tif 000015